(57)【特許請求の範囲】
【請求項１】
底壁と、該底壁の周縁から立設された側壁とから一面に開口する有底四角箱状に形成されるとともに内部に光接続機器を収容する収容空間が形成されたボックス本体を有し、前記収容空間を開閉可能にする蓋体を有するとともに、前記光接続機器に接続するためボックス本体内に引き込まれた光ケーブルの余長を所定の曲率で巻回する巻回部を表面に備えた四角板状のトレイを有し、前記トレイが、該トレイの裏面と前記底壁との間に前記光接続機器を収容可能にするため前記裏面が前記底壁から離間し、かつ前面がボックス本体の開口面に沿って配設されるようにボックス本体に取り付けられる機器収容ボックスであって、
前記トレイにおいて一対の背向する一方の側面にはトレイを前記ボックス本体に取り付けるためのトレイ側取付部が形成されるとともに、前記ボックス本体において一対の対向する一方の側壁には前記トレイ側取付部が取付可能なボックス側取付部が形成され、前記トレイの背向する一方の側面の長さは前記ボックス本体の対向する一方の側壁の長さより短く形成されるとともに、前記トレイの背向する他方の側面の長さは前記ボックス本体の対向する他方の側壁の長さと略同一に形成され、前記ボックス側取付部は、前記トレイの他方の側面と、前記ボックス本体の他方の側壁との間に空間を形成可能するとともに、前記トレイのボックス本体への取付位置をボックス本体の一方の側壁に沿った長さ方向へ変更可能とするように複数形成されている機器収容ボックス。
【請求項２】
前記複数のボックス側取付部は、前記ボックス本体内への光ケーブルの引き込み方向に沿うように前記側壁に並設されている請求項１に記載の機器収容ボックス。
【請求項３】
前記トレイにおいて背向する他方の側面には前記光ケーブルの引込口が複数箇所に形成されている請求項１又は請求項２に記載の機器収容ボックス。
【請求項４】
前記ボックス本体の底壁には、前記光接続機器を固定するための固定部が複数箇所に形成されている請求項１〜請求項３のうちいずれか一項に記載の機器収容ボックス。
【請求項５】
前記ボックス本体において、前記ボックス側取付部が形成された側壁に直交する他の側壁には前記光接続機器の出力端子をボックス本体外へ突出させる引出口が形成されている請求項１〜請求項４のうちいずれか一項に記載の機器収容ボックス。
【発明の詳細な説明】
【技術分野】
【０００１】
本発明は、光接続機器を収容するボックス本体を有するとともに光接続機器に接続される光ケーブルの余長を所定の曲率で巻回する巻回部を備えたトレイを有する機器収容ボックスに関する。
【背景技術】
【０００２】
例えば、屋外で光ケーブルと光接続機器とを接続するには、光接続機器を収容する機器収容ボックスが用いられる。この機器収容ボックスとしては、例えば特許文献１に開示の光受信機が挙げられる。この光受信機はケース本体（ボックス本体）を有し、ケース本体の収納空間には、外部から入力される光信号を電気信号に変換（Ｏ／Ｅ変換）して出力する光受信部が収納されるとともにケース本体に固定される。光受信部の表面には、光アダプタが固着され、この光アダプタには光ケーブルの先端に設けられた光コネクタが接続される。また、光受信部の側面には、出力端子が突設されている。
【０００３】
ケース本体には、収納空間に収納された光受信部と、該光受信部より上側に設けられる光ファイバ収容部とを区画するための基板が掛脱自在に固着される。この基板のケース本体への固着は、ケース本体に設けられた掛止部材と、基板に設けられた掛合部材との掛止によって行われる。すなわち、基板の掛合部材をケース本体の掛止部材に掛合させることで基板がケース本体に固着される。また、光ファイバ収容部は、余長の光ケーブルを収容するためのもので、基板の表面に備えられている。さらに光ファイバ収容部には、余長の光ファイバを所定の曲率で巻付けるために、表側が開放状態の巻枠が備えられている。
【特許文献１】特開２００７−８６７３２号公報
【発明の開示】
【発明が解決しようとする課題】
【０００４】
ところで、ケース本体内に収納される光受信部には、光アダプタの固着位置や出力端子の突設位置が異なる様々なタイプのものが存在する。このため、特許文献１の光受信機における収納空間内に光受信部を収納し、固定したとき、光アダプタや出力端子が障害となって基板をケース本体に固着できない場合が発生する。ここで、ケース本体を大型化（例えば、深さを深く）することで光アダプタや出力端子が障害となることを回避することができるが、ケース本体の大型化はその設置スペースを広く確保しなければならず好ましくない。
【０００５】
本発明は、このような従来の技術に存在する問題点に着目してなされたものである。その目的は、ボックス本体を大型化することなく、ボックス本体に固定可能とする光接続機器の種類を増やすことができる機器収容ボックスを提供することにある。
【課題を解決するための手段】
【０００６】
上記問題点を解決するために、請求項１に記載の発明は、底壁と、該底壁の周縁から立設された側壁とから一面に開口する有底四角箱状に形成されるとともに内部に光接続機器を収容する収容空間が形成されたボックス本体を有し、前記収容空間を開閉可能にする蓋体を有するとともに、前記光接続機器に接続するためボックス本体内に引き込まれた光ケーブルの余長を所定の曲率で巻回する巻回部を表面に備えた四角板状のトレイを有し、前記トレイが、該トレイの裏面と前記底壁との間に前記光接続機器を収容可能にするため前記裏面が前記底壁から離間し、かつ前面がボックス本体の開口面に沿って配設されるようにボックス本体に取り付けられる機器収容ボックスであって、前記トレイにおいて一対の背向する一方の側面にはトレイを前記ボックス本体に取り付けるためのトレイ側取付部が形成されるとともに、前記ボックス本体において一対の対向する一方の側壁には前記トレイ側取付部が取付可能なボックス側取付部が形成され、前記トレイの背向する一方の側面の長さは前記ボックス本体の対向する一方の側壁の長さより短く形成されるとともに、前記トレイの背向する他方の側面の長さは前記ボックス本体の対向する他方の側壁の長さと略同一に形成され、前記ボックス側取付部は、前記トレイの他方の側面と、前記ボックス本体の他方の側壁との間に空間を形成可能するとともに、前記トレイのボックス本体への取付位置をボックス本体の一方の側壁に沿った長さ方向へ変更可能とするように複数形成されていることを要旨とする。
【０００７】
請求項２に記載の発明は、請求項１に記載の機器収容ボックスにおいて、前記複数のボックス側取付部は、前記ボックス本体内への光ケーブルの引き込み方向に沿うように前記側壁に並設されていることを要旨とする。
【０００８】
請求項３に記載の発明は、請求項１又は請求項２に記載の機器収容ボックスにおいて、前記トレイにおいて背向する他方の側面には前記光ケーブルの引込口が複数箇所に形成されていることを要旨とする。
【０００９】
請求項４に記載の発明は、請求項１〜請求項３のうちいずれか一項に記載の機器収容ボックスにおいて、前記ボックス本体の底壁には、前記光接続機器を固定するための固定部が複数箇所に形成されていることを要旨とする。
【００１０】
請求項５に記載の発明は、請求項１〜請求項４のうちいずれか一項に記載の機器収容ボックスにおいて、前記ボックス本体において、前記ボックス側取付部が形成された側壁に直交する他の側壁には前記光接続機器の出力端子をボックス本体外へ突出させる引出口が形成されていることを要旨とする。
【発明の効果】
【００１１】
本発明によれば、ボックス本体を大型化することなく、ボックス本体に固定可能とする光接続機器の種類を増やすことができる。
【発明を実施するための最良の形態】
【００１２】
以下、本発明を、光ケーブルが接続される光接続機器を収容する機器収容ボックスに具体化した一実施形態を図１〜図６にしたがって説明する。なお、以下の説明において、機能収容ボックスの「前」及び「後」は、図１に示す矢印Ｙ１の方向を前後方向とし、「左」及び「右」は、図１に示す矢印Ｙ２の方向を左右方向とする。また、機能収容ボックスの「上」及び「下」は、図１に示す矢印Ｙ３の方向を上下方向とする。
【００１３】
図４に示すように、合成樹脂製の機器収容ボックス１０は、光接続機器１１を内部に収容するとともに、光接続機器１１に接続される光ケーブルＫ１，Ｋ２の一部を収容するために用いられる。まず、光接続機器１１について説明する。図１に示すように、光接続機器１１は、直方体状をなす金属製のケース１２で構成されるとともに、ケース１２の内部には光信号をテレビ受像機用の入力信号に変換するための手段、通常、Ｏ／Ｅ変換手段として知られる電子回路（図示せず）が収容されている。また、ケース１２の前面（表面）には光アダプタ１３が固着されるとともに、光アダプタ１３には電子回路に接続された光コネクタＣが抜き差し可能に接続されている。ケース１２の背向する一対の側辺（長辺）には固定片１４が突設されるとともに、各固定片１４には固定ビス１５を挿通可能になっている。さらに、光接続機器１１の下面（側面）には、電子回路に接続された一対の出力端子１６が突設されている。
【００１４】
次に、機器収容ボックス１０について説明する。図１及び図２（ａ）に示すように、機器収容ボックス１０を構成するところの有底四角箱状をなす合成樹脂製のボックス本体２０は、その底壁２１の両長辺それぞれに側壁としての長側壁２３，２４を、両短辺それぞれに側壁としての短側壁２５，２６を立設して形成されている。長側壁２３，２４及び短側壁２５，２６によって、ボックス本体２０は一面に開口するように形成されるとともに、図１及び図２（ｂ）の２点鎖線に示すように、長側壁２３，２４の前端面（先端面）及び短側壁２５，２６の前端面（先端面）が位置する平面が、ボックス本体２０の開口面Ｈとなっている。そして、ボックス本体２０には、底壁２１と、長側壁２３，２４及び短側壁２５，２６とによって囲まれた空間により、光接続機器１１を収容する収容空間Ｓが形成されている。両長側壁２３，２４及び上側の短側壁２６の外面には、それら長側壁２３，２４及び短側壁２６全体に亘って延びる複数条（本実施形態では二条）の防水リブ２７が形成されている。
【００１５】
ボックス本体２０の深さ、すなわち、長側壁２３，２４及び短側壁２５，２６におけるボックス本体２０の深さ方向に沿った長さは、光接続機器１１（ケース１２）の厚み方向への長さ（前後方向への長さ）より長くなっている。よって、収容空間Ｓ内に光接続機器１１を収容した状態では、光接続機器１１の前面（表面）及び光アダプタ１３よりも前方に長側壁２３，２４及び短側壁２６の開口端が位置するようになっている。さらに、収容空間Ｓの大きさ（広さ）は、光接続機器１１の平面形状より大きく形成されている。
【００１６】
また、底壁２１には、光接続機器１１を固定するための固定ビス１５を強制的に螺入可能とする固定部としての固定孔２１ａが、底壁２１の長辺方向へ細長に延びるように多数並設されるとともに、底壁２１の短辺方向へ細長に延びるように多数並設されている。底壁２１及び下側の短側壁２５には、ボックス本体２０を建物の壁や床等に取り付けるために、取付部材（図示せず）が挿通される取付孔２１ｂ，２５ｂが複数形成されている。
【００１７】
図１及び図２（ｂ）に示すように、長側壁２３，２４の下部（短側壁２５側）には、それぞれ円孔状をなすボックス側取付部２３ａ，２４ａが、長側壁２３，２４の開口側に２つずつ間隔を開けて並設されている。ボックス側取付部２３ａ，２４ａは、ボックス本体２０の開口面Ｈの延びる方向に沿って並設されている。また、図１及び図２（ａ）に示すように、長側壁２３，２４の内面には、長側壁２３，２４の開口端からボックス本体２０の深さ方向に沿って各ボックス側取付部２３ａ，２４ａに向けて延びるガイド溝２３ｂ，２４ｂが凹設されている。長側壁２３，２４の上部（短側壁２６側）には、四角孔状をなす係止孔２３ｃ，２４ｃが、長側壁２３，２４の開口側に２つずつ間隔を開けて並設されている。係止孔２３ｃ，２４ｃは、ボックス本体２０の開口面Ｈの延びる方向に沿って並設されている。ボックス側取付部２３ａ，２４ａと係止孔２３ｃ，２４ｃとは、それぞれ長側壁２３，２４の長さ方向に沿って並ぶように位置している。また、長側壁２３，２４の上部（短側壁２６側）には、板状をなす延設部２３ｄ，２４ｄが形成されるとともに、延設部２３ｄ，２４ｄには円孔状をなす軸孔２３ｅが形成されている。
【００１８】
図２（ｃ）に示すように、ボックス側取付部２３ａ，２４ａが形成された長側壁２３，２４に直交する他の側壁となる下側の短側壁２５には、長孔状をなす開口部２８が形成されるとともに、開口部２８を取り囲むように枠状部２９が短側壁２５の外面から突設されている。図１及び図６に示すように、開口部２８には、板状をなす引出口アダプタ３０が着脱可能になっている。引出口アダプタ３０には、光接続機器１１の出力端子１６が挿通可能な丸孔状の引出口３１が複数（本実施形態では４つ）形成されるとともに、各引出口３１はノック部３２によって閉鎖されている。そして、開口部２８を閉鎖するように引出口アダプタ３０が短側壁２５に取り付けられることにより、短側壁２５に４つの引出口３１が形成されている。短側壁２５の前部（ボックス本体２０の開口側）には短側壁２５の開口端から凹む引込凹部２５ａが２箇所形成されている。
【００１９】
枠状部２９には、機器収容ボックス１０に引き込まれる光ケーブルＫ２をボックス本体２０（枠状部２９）に保持するブッシュ４０が取付られる取付凹部３３が２箇所に凹設されている。ここで、ブッシュ４０について説明する。図５に示すように、直方体状をなす合成樹脂製のブッシュ４０は、ヒンジ４３によって連結された一対の分割体４１を組付けて形成されるとともに、分割体４１の組付け状態で一対の分割体４１の間に光ケーブルＫ２を挟持可能に形成されている。ブッシュ４０における背向する一対の側面には圧入突起４２が突設されている。枠状部２９の取付凹部３３には、ブッシュ４０のヒンジ４３を圧入可能とするとともに、一対の圧入突起４２が圧入される圧入凹部３３ａが三箇所に形成されている。
【００２０】
図４に示すように、機器収容ボックス１０を構成するところの矩形板状をなす合成樹脂製のトレイ５０は、両短辺方向に沿った短側面５０ａ，５０ｂの長さがボックス本体２０の長側壁２３，２４の長さ方向に沿った長さより短くなっている。また、トレイ５０の両長辺方向に沿った長側面５０ｃ，５０ｄの長さは、ボックス本体２０の短側壁２５，２６の長さ方向に沿った長さより僅かに短くなっている。図１及び図３（ａ）、（ｃ）に示すように、トレイ５０において、背向する左右両短側面５０ａ，５０ｂにおける一端側それぞれには突起状のトレイ側取付部５１が形成されるとともに、各トレイ側取付部５１はボックス側取付部２３ａ，２４ａに挿入可能な大きさに形成されている。また、トレイ５０の両短側面５０ａ，５０ｂには、弾性変形可能な弾性片５２が形成されるとともに、各弾性片５２の側面それぞれには突起状の係止突起５２ａが形成されている。各係止突起５２ａは、ボックス本体２０の係止孔２３ｃ，２４ｃに係止可能な大きさに形成されている。
【００２１】
そして、トレイ５０は、トレイ側取付部５１をボックス側取付部２３ａ，２４ａに挿入することにより、トレイ側取付部５１を回動中心として回動可能にボックス本体２０に取り付けられる。また、トレイ５０は、係止突起５２ａを係止孔２３ｃ，２４ｃに係止させることにより、トレイ５０の前面（表面）をボックス本体２０の開口面Ｈに沿わせた状態に配設可能になっている。そして、このトレイ５０の取付状態では、トレイ５０の後面（裏面）と底壁２１との間に光接続機器１１を収容可能にするため、トレイ５０の後面（裏面）が底壁２１から離間している。
【００２２】
トレイ５０には、円孔状をなす貫通孔５３が形成されるとともに、トレイ５０の前面（表面）における貫通孔５３の周縁には円筒状をなし光ケーブルＫ１，Ｋ２を所定の曲率で巻回させる巻回部５４が立設されている。なお、所定の曲率とは、光ケーブルＫ１，Ｋ２を損傷させないで添え付けを可能とする安全曲率の範囲内にある曲率のことである。トレイ５０の前面（表面）には、巻回部５４を囲むように略円環状をなすケーブル収容部５５が凹設されている。
【００２３】
また、ケーブル収容部５５の内底面にはスプライスホルダ５７及びＳＣコネクタホルダ５６が立設されている。スプライスホルダ５７には光ケーブルＫ１と光ケーブルＫ２を接続するためのメカニカルスプライス５８（図４参照）が、ＳＣコネクタホルダ５６には光ケーブルＫ１に接続されたコネクタ（図示せず）と光ケーブルＫ２に接続されたコネクタ（図示せず）とを接続するＳＣコネクタ（図示せず）が着脱自在になっている。巻回部５４の前端部、ケーブル収容部５５における内周面の前端部、及びスプライスホルダ５７の前端部には、ケーブル収容部５５内に収容された光ケーブルＫ１，Ｋ２の跳ね上がりを規制する跳止片５９がケーブル収容部５５に向けて突設されている。トレイ５０の両長側面５０ｃ，５０ｄそれぞれには、一対の引込口６０がケーブル収容部５５と連通するように形成されるとともに、各引込口６０の前方を覆う位置に抜け止め片６１が形成されている。
【００２４】
図１に示すように、機器収容ボックス１０を構成するところの四角箱状をなす合成樹脂製の蓋体７０は、その天板７１の両長辺それぞれに長側壁７３を、両短辺それぞれに短側壁７５を立設して形成されている。また、長側壁７３の上部それぞれには取付突片７３ａが突設されるとともに、各取付突片７３ａの外面には取付軸７３ｂが突設されている。各取付軸７３ｂは、略円柱状をなすとともに先端縁の一部を円弧状に面取りして形成されている。蓋体７０下側の短側壁７５は、正面視逆Ｕ字状に切り欠かれている。また、短側壁７５には、突片７８が形成されるとともに、突片７８にはボックス本体２０の掛止突片２９ａに掛止可能な掛止片（図示せず）が蓋体７０の内方に向けて突設されている。
【００２５】
そして、取付突片７３ａをボックス本体２０の延設部２３ｄ，２４ｄの内側に配設するとともに、取付軸７３ｂを軸孔２３ｅに挿入することにより、蓋体７０が取付軸７３ｂを回動中心として回動可能にボックス本体２０に取り付けられる。よって、ボックス本体２０にトレイ５０が回動可能に取り付けられるとともに、ボックス本体２０に蓋体７０が回動可能に取り付けられることにより、機器収容ボックス１０が組み立てられる。また、ボックス側取付部２３ａ，２４ａは、長側壁２３，２４の長さ方向に沿って２箇所ずつ形成されている。このため、トレイ側取付部５１を挿入するボックス側取付部２３ａ，２４ａを選択することにより、トレイ５０の長側面５０ｃ，５０ｄを短側壁２５，２６に対し接離させる方向に沿ってトレイ５０のボックス本体２０への取付位置を変更することができる。
【００２６】
次に、機器収容ボックス１０を用いた光接続機器１１の設置作業について説明する。なお、機器収容ボックス１０は、屋外に露出する壁Ｗの外面に取り付けられるものとする。また、図４は、機器収容ボックス１０の正面図であり、蓋体７０は図示を省略している。
【００２７】
まず、図６に示すように、引出口アダプタ３０において、２つの引出口３１からノック部３２を除去し、引出口３１を開放するとともに、開口部２８を閉鎖するように引出口アダプタ３０を下側の短側壁２５に取り付ける。次に、図４に示すように、ボックス本体２０の取付孔２１ｂ，２５ｂに挿通した取付部材６２を壁Ｗに固定してボックス本体２０を壁Ｗの外面に取り付ける。さらに、蓋体７０の取付突片７３ａをボックス本体２０の延設部２３ｄ，２４ｄの内側に配設するとともに、取付軸７３ｂを軸孔２３ｅに挿入することにより、蓋体７０が取付軸７３ｂを回動中心として回動可能にボックス本体２０に取り付ける。
【００２８】
次いで、蓋体７０を上方に向けて回動させてボックス本体２０の収容空間Ｓを開放させる。そして、光接続機器１１の各固定片１４に挿通した固定ビス１５を、ボックス本体２０の固定孔２１ａに強制的に螺入して光接続機器１１を底壁２１に固定する。このとき、一対の出力端子１６それぞれが引出口３１からボックス本体２０外へ突出するように、光接続機器１１の底壁２１に対する固定位置を調整する。よって、本実施形態では、光接続機器１１は出力端子１６の形成された下面が、下側の短側壁２５内面に接触するように底壁２１に固定されるとともに、光アダプタ１３が短側壁２５の内面に沿うように配置される。
【００２９】
次に、ボックス本体２０内に引き込む光ケーブルＫ２をメカニカルスプライス５８に接続するとともに、メカニカルスプライス５８に接続した光ケーブルＫ１を光接続機器１１の光アダプタ１３に接続する。次に、トレイ５０をボックス本体２０に取り付ける。各一対のボックス側取付部２３ａ，２４ａのうち、下側の短側壁２５から最も遠い方（上方寄り）のボックス側取付部２３ａ，２４ａにトレイ側取付部５１が挿入されるように、トレイ５０を開口面Ｈに沿って、言い換えると、ボックス本体２０の長側壁２３，２４内面に沿って移動させる。すなわち、トレイ５０の下側の長側面５０ｃを、下側の短側壁２５に対し離間させる方向に沿って移動させる。その後、ボックス本体２０の開口面Ｈからトレイ５０をボックス本体２０内に向けて移動させる。すると、トレイ側取付部５１がガイド溝２３ｂ，２４ｂによってボックス側取付部２３ａ，２４ａに向けてガイドされ、そのままボックス側取付部２３ａ，２４ａに挿入されてボックス本体２０にトレイ５０が取り付けられる。
【００３０】
また、各一対の係止孔２３ｃ，２４ｃのうち、上側の短側壁２６に最も近い方の係止孔２３ｃ，２４ｃに係止突起５２ａを係止させてトレイ５０をボックス本体２０に取り付ける。すると、トレイ５０の下側の長側面５０ｃと、下側の短側壁２５の内面との間に光アダプタ１３を逃がす空間が形成され、光アダプタ１３がトレイ５０のボックス本体２０への取付の障害となることなくトレイ５０がボックス本体２０に取り付けられる。また、トレイ５０は、上側の長側面５０ｄと、上側の短側壁２６の内面との間に間隔を開けてボックス本体２０に取り付けられる。
【００３１】
次に、光アダプタ１３に接続された光ケーブルＫ１を、トレイ５０上側の長側面５０ｄと上側の短側壁２６の内面との間からトレイ５０の前側へ引き出し、トレイ５０の上側の引込口６０から光ケーブルＫ１をケーブル収容部５５内に引き込み、抜け止め片６１によって引込口６０から前方への光ケーブルＫ１の抜け出しを防止させる。そして、光ケーブルＫ１の余長となる部位を巻回部５４に巻き付ける。さらに、メカニカルスプライス５８に接続した光ケーブルＫ２を巻回部５４に巻き付け、トレイ５０下側の引込口６０からトレイ５０外へ引き出す。このとき、抜け止め片６１によって引込口６０から前方への光ケーブルＫ２の抜け出しを防止させる。また、メカニカルスプライス５８をスプライスホルダ５７に保持させる。
【００３２】
ここで、光接続機器１１の底壁２１に対する固定位置を調整する必要が生じた場合（例えば、光接続機器１１の下面を、下側の短側壁２５内面から離間させる）、まず、弾性片５２を押圧して係止突起５２ａの係止孔２３ｃ，２４ｃへの係止を解除し、トレイ側取付部５１を回動中心としてトレイ５０を回動させて収容空間Ｓを開放させる。そして、光ケーブルＫ１，Ｋ２を引込口６０から抜き出すとともに巻回部５４から巻外す。そして、光接続機器１１の固定位置を変更した後、トレイ５０を回動させてボックス本体２０に取り付けるとともに、光ケーブルＫ１，Ｋ２を巻回部５４に巻き付ける。  
【００３３】
次に、ブッシュ４０によって光ケーブルＫ２を挟持するとともに、圧入突起４２及びヒンジ４３を圧入凹部３３ａに圧入することにより、ブッシュ４０を取付凹部３３に取り付ける。すると、光ケーブルＫ２はブッシュ４０によりトレイ５０に向けて延びるようにボックス本体２０に保持される。
【００３４】
光ケーブルＫ２がブッシュ４０により保持されるとともに、光ケーブルＫ１がボックス本体２０からケーブル収容部５５内に引き込まれた状態では、光ケーブルＫ１，Ｋ２は、トレイ５０の上下両長側面５０ｃ，５０ｄからトレイ５０内に引き込まれている。また、光ケーブルＫ１，Ｋ２はトレイ５０の左右両短側面５０ａ，５０ｂに沿って延びるようにトレイ５０内に引き込まれている。
【００３５】
そして、蓋体７０によってボックス本体２０の収容空間Ｓを閉鎖するように蓋体７０を回動させるとともに、掛止片をボックス本体２０の掛止突片２９ａに掛止させ、蓋体７０の回動を規制する。その結果、光接続機器１１が機器収容ボックス１０内に収容されるとともに、光接続機器１１に光ケーブルＫ１，Ｋ２が接続される。そして、出力端子１６に同軸ケーブル（図示せず）が接続される。
【００３６】
ここで、上記光接続機器１１と異なり、ケース１２の側面（例えば、右側面）に光アダプタ１３が固着された光接続機器（図示せず）を底壁２１に固定して機器収容ボックス１０を組み立てる場合について説明する。この場合、ボックス本体２０にトレイ５０を取り付ける場合、各一対のボックス側取付部２３ａ，２４ａのうち、下側の短側壁２５に最も近い方のボックス側取付部２３ａ，２４ａにトレイ側取付部５１を挿入してトレイ５０をボックス本体２０に取り付ける。
【００３７】
また、各一対の係止孔２３ｃ，２４ｃのうち、上側の短側壁２６から最も離れた方の係止孔２３ｃ，２４ｃに係止突起５２ａを係止させてトレイ５０をボックス本体２０に取り付ける。すると、トレイ５０の下側の長側面５０ｃと、下側の短側壁２５の内面とが接触し、両面の間に空間が形成されることなくトレイ５０がボックス本体２０に取り付けられる。すなわち、光アダプタ１３がケース１２の側面に固着されているため、光アダプタ１３がトレイ５０のボックス本体２０への取付の障害となることなくトレイ５０がボックス本体２０に取り付けられる。
【００３８】
なお、この場合もトレイ５０は、上側の短側壁２６の内面との間に間隔を開けてボックス本体２０に取り付けられる。このため、ケーブル収容部５５から光接続機器１１に向けて延びる光ケーブルＫ１は、緩やかに曲がりながらトレイ５０と短側壁２６の内面との間を通って光接続機器１１に向けて延びている。
【００３９】
上記実施形態によれば、以下のような効果を得ることができる。
（１）トレイ５０の背向する一対の短側面５０ａ，５０ｂにトレイ側取付部５１を形成し、ボックス本体２０の長側壁２３，２４に一対ずつボックス側取付部２３ａ，２４ａを形成した。そして、トレイ側取付部５１を挿入するボックス側取付部２３ａ，２４ａを選択することにより、ボックス本体２０下側の短側壁２５内面と、トレイ５０の下側の長側面５０ｃとの間に空間を形成するか否かを選択することができる。すなわち、トレイ５０のボックス本体２０への取付位置を開口面Ｈの延びる方向に沿って変更することができる。よって、光アダプタ１３が光接続機器１１の前面に固着されている場合は、光アダプタ１３を逃がすための空間を短側壁２５の内面とトレイ５０下側の長側面５０ｃとの間に形成することができ、光アダプタ１３が障害となることなくトレイ５０をボックス本体２０に取り付けることができる。したがって、機器収容ボックス１０によれば、ボックス本体２０を大型化することなく、光アダプタ１３の固着位置が異なる２種類の光接続機器１１の設置に対応することができ、その結果としてボックス本体２０の設置スペースを広く確保する必要もなくなる。
【００４０】
（２）各一対のボックス側取付部２３ａ，２４ａは、ボックス本体２０への光ケーブルＫ１，Ｋ２の引き込み方向に沿って並設されている。このため、光アダプタ１３とトレイ５０との干渉を避けるためにトレイ５０の取付位置を調節した結果、光ケーブルＫ１，Ｋ２のトレイ５０への引き込み方向が変更してしまい、トレイ５０の取付位置調節のために光ケーブルＫ１，Ｋ２が曲げられたりして損傷を受けることを防止することができる。
【００４１】
（３）トレイ５０の上下両長側面５０ｃ，５０ｄそれぞれには引込口６０が２つずつ形成されている。このため、トレイ５０への光ケーブルＫ１，Ｋ２の引き込み位置は、光ケーブルＫ１，Ｋ２の配線位置等に合わせて選ぶことができる。よって、トレイ５０への光ケーブルＫ１，Ｋ２の引き込みの際、無理に光ケーブルＫ１，Ｋ２が曲げられることが無くなり、光ケーブルＫ１，Ｋ２が損傷を受けることを防止することができる。
【００４２】
（４）底壁２１には多数の固定孔２１ａが形成されるとともに、各固定孔２１ａは長孔状に形成されている。このため、底壁２１に対する光接続機器１１の固定位置を変更しても、光接続機器１１の固定片１４に挿通した固定ビス１５を固定孔２１ａに螺入することができ、光接続機器１１を所望する位置に固定することができる。
【００４３】
（５）ボックス本体２０下側の短側壁２５には引出口アダプタ３０が取り付けられ、引出口アダプタ３０には複数の引出口３１が形成されている。よって、光接続機器１１の出力端子１６を引出口３１を通すことで、ボックス本体２０外に突出させることができる。また、引出口３１は複数形成されているため、光接続機器１１の固定位置を変更しても出力端子１６を引出口３１を通してボックス本体２０外へ突出させることができる。
【００４４】
（６）トレイ５０は、上側の短側壁２６の内面との間に間隔を開けてボックス本体２０に取り付けられる。このため、メカニカルスプライス５８と光アダプタ１３とを接続する光ケーブルＫ１は、トレイ５０と短側壁２６との間を通ってメカニカルスプライス５８から光アダプタ１３に向かって延びている。よって、光ケーブルＫ１が、急激に屈曲させられることが防止され、光ケーブルＫ１を損傷を受けることなく配線することができる。
【００４５】
（７）トレイ５０には、メカニカルスプライス５８を保持するスプライスホルダ５７と、メカニカルスプライス５８とサイズが異なるＳＣコネクタを保持するＳＣコネクタホルダ５６とが形成されている。よって、光ケーブルＫ１，Ｋ２の接続態様に合わせてメカニカルスプライス５８とＳＣコネクタとを選択することができる。
【００４６】
なお、上記実施形態は以下のように変更してもよい。
○  図７に示すように、引出口アダプタ３０において、丸孔状の４つの引出口３１を長孔状の２つの引出口３１に変更してもよい。この場合、各引出口３１には２つの出力端子１６を挿通可能になっている。
【００４７】
○  引出口アダプタ３０は無くてもよく、開口部２８から出力端子１６をボックス本体２０外へ突出させてもよい。
○  固定孔２１ａは、丸穴状に形成されていてもよく、この場合、丸穴状の固定孔２１ａは底壁２１に多数形成される。
【００４８】
○  トレイ５０に形成する引込口６０は１つだけでもよい。又は引込口６０はトレイ５０の四つの側面５０ａ〜５０ｄに１つずつ又は複数ずつ形成されていてもよい。
○  ボックス側取付部２３ａ，２４ａは、長側壁２３，２４の長さ方向（光ケーブルＫ２の引き込み方向）に沿って３箇所以上形成されていてもよい。
【００４９】
○  トレイ５０に形成する引込口６０は、光ケーブルＫ２のボックス本体２０への引き込み方向に対して直交する側面（実施形態では左右短側面５０ａ，５０ｂ）に形成してもよい。
【００５０】
○  トレイ５０を正方形状に形成し、トレイ５０の四つの側面５０ａ〜５０ｄにトレイ側取付部５１を形成するとともに、トレイ５０における背向する一対の側面に引込口６０を形成してもよい。そして、トレイ５０を回転させてボックス本体２０に取り付けることにより、引込口６０の位置を変更可能にしてもよい。
【００５１】
○  トレイ５０において、ＳＣコネクタホルダ５６及びスプライスホルダ５７のうちいずれか一方を削除してもよい。
○  実施形態では、機器収容ボックス１０を壁Ｗに設置したが、機器収容ボックス１０を床又は天井に設置してもよい。また、実施形態では、機器収容ボックス１０を屋外に設置したが、機器収容ボックス１０を屋内に設置してもよい。
【００５２】
○  ボックス本体２０において、長側壁２３，２４及び短側壁２５，２６にボックス側取付部を複数形成してもよい。
○  トレイ５０のトレイ側取付部を孔状に形成し、ボックス本体２０のボックス側取付部をトレイ側取付部に挿入可能な突起状に形成してもよい。
【図面の簡単な説明】
【００５３】
【図１】実施形態の機器収容ボックスを示す分解斜視図。
【図２】（ａ）はボックス本体を示す正面図、（ｂ）及び（ｃ）はボックス本体の側面図。
【図３】（ａ）はトレイを示す正面図、（ｂ）及び（ｃ）はトレイの側面図。
【図４】機器収容ボックスのボックス本体内を示す平面図。
【図５】ブッシュを示す斜視図。
【図６】引出口アダプタ付近を示す斜視図。
【図７】別例の引出口アダプタ付近を示す斜視図。
【符号の説明】
【００５４】
Ｈ…開口面、Ｋ１，Ｋ２…光ケーブル、Ｓ…収容空間、１０…機器収容ボックス、１１…光接続機器、１６…出力端子、２０…ボックス本体、２１…底壁、２１ａ…固定部としての固定孔、２３，２４…側壁としての長側壁、２３ａ，２４ａ…ボックス側取付部、２５，２６…側壁としての短側壁、３１…引出口、５０…トレイ、５０ａ，５０ｂ…側面としての短側面、５１…トレイ側取付部、５４…巻回部、６０…引込口、７０…蓋体。
【図１】
0005053809.tif 000002
【図２】
0005053809.tif 000003
【図３】
0005053809.tif 000004
【図４】
0005053809.tif 000005
【図５】
0005053809.tif 000006
【図６】
0005053809.tif 000007
【図７】
0005053809.tif 000008